(57)【特許請求の範囲】
【請求項１】
少なくとも２本の平行した屋根垂木（１）間に、軒桁用のころび止め材（５）と、棟木用のころび止め材（５）と、中間横枠材（４）とを固定して枠体（Ｆ）を形成し、該枠体（Ｆ）の軒桁用のころび止め材（５）と中間横枠材（４）間にのみ断熱材（３）を配設し、少なくとも上面シート（２１）及び下面シート（２３）を含む上下複数のシート（２１，２２，２３）から成り、シート表面側での輻射熱反射作用、及びシート間の空気層空間（Ｓ）による空気流通作用を奏する遮熱材（２）で、遮熱材（２）の上面シート（２１）が屋根垂木上面（１Ｔ）より下方に位置するように、断熱材（３）上面を被覆保護し、遮熱材（２）上面を覆う形態に屋根下張材（７）を屋根垂木（１）に固定した、断熱屋根パネル。
【請求項２】
少なくとも２本の平行した屋根垂木（１）間に、軒桁用のころび止め材（５）と、棟木用のころび止め材（５）と、中間横枠材（４）とを固定して枠体（Ｆ）を形成し、該枠体（Ｆ）の軒桁用のころび止め材（５）と中間横枠材（４）間にのみ断熱材（３）を配設し、少なくとも上面シート（２１）及び下面シート（２３）を含む上下複数のシート（２１，２２，２３）から成り、シート表面側での輻射熱反射作用、及びシート間の空気層空間（Ｓ）による空気流通作用を奏する遮熱材（２）で断熱材（３）上面を被覆保護し、屋根下張材（７）を、遮熱材（２）上面を覆う形態で、且つ、遮熱材上面シート（２１）の両側縁（２１Ｅ）を屋根垂木上面（１Ｔ）に挟着形態で屋根垂木（１）に固定した、断熱屋根パネル。
【請求項３】
遮熱材（２）は、複数シート（２１，２２，２３）を折曲自在の起立片（２４，２５）群によって連結し、各シート（２１，２２，２３）間に長手方向に貫通した空気層空間（Ｓ）を形成した請求項１又は２の断熱屋根パネル。
【請求項４】
遮熱材（２）は、複数シート（２１，２２，２３）の上面シート（２１）及び次層シート（２２，２３）が表面に輻射熱反射層を備えた、請求項１乃至３のいずれか１項の断熱屋根パネル。
【請求項５】
遮熱材（２）は、複数シート（２１，２２，２３）、及び複数シートと同長で折曲部（ｒ）で折曲自在の起立片（２４，２５）群が紙材から成り、且つ上面シート（２１）及び次層シート（２２，２３）が表面に熱反射アルミ箔層を備えた請求項１乃至４のいずれか１項の断熱屋根パネル。
【請求項６】
遮熱材（２）は、紙材の複数シート（２１，２２，２３）の全てが表面に熱反射アルミ箔層を備え、各シートと同長のシート状紙材から成り、且つ折曲部（ｒ）で折曲自在とした起立片（２４，２５）群の両端の折曲面（２４´，２５´）を上面シート（２１）及び下面シート（２３）に固定すると共に、折曲部（ｒ）で折曲自在とした中間シート（２２）の両端の折曲面（２２´）を起立片（２４，２５）群に固定し、各シート（２１，２２，２３）間に起立片（２４，２５）で仕切られた、長手方向に貫通した空気層空間（Ｓ）を開口した請求項１乃至５のいずれか１項の断熱屋根パネル。
【請求項７】
下面材（７１）を垂木（１）の下面（１Ｕ）に張設した、請求項１乃至６のいずれか１項の断熱屋根パネル。
【発明の詳細な説明】
【０００１】
【発明の属する技術分野】
本発明は、住宅の屋根を、通気性及び断熱性に優れた新規な屋根パネルを用いて構築し、施工容易、且つ省エネルギー化された住宅を提供せんとするものであり、住宅建築の分野に属するものである。
【０００２】
【従来の技術】
住宅建築に於いて、屋根構造に通気性及び断熱性を付与することは、住環境面、屋根耐久性面から重要な課題であり、従来より屋根垂木上面に断熱材を外張りする手法や、屋根垂木間に断熱材を充填する手法が実施されている。
外張り断熱にあっては、垂木自体も断熱保護する点では有利であるが、断熱材を屋根垂木上に固定するため、断熱材の厚さが制約を受ける問題があり、充填断熱にあっては、垂木の高さの変更により断熱層が自由に選択出来、且つ外張りに比べて、屋根下張り材の施工までの工程が少なく合理的に施工出来る。
【０００３】
〔従来例１〕
図４は、従来の充填断熱の典型例であり、小屋組みの棟木、軒桁、母屋等に垂木を釘打ち固定し、棟木、軒桁等には垂木の座屈防止用のころび止め材を介装釘打ちして垂木を強固に堅結しておき、図４（Ａ）の如く、合板等の屋根下張材を小屋組みの垂木上に釘留めし、垂木上端側面には通気下地材を釘留めし、図４（Ｂ）の如く、通気下地材に透湿防水シートや合板等の防風層を釘で留めて屋根下張材と防風層との間隙で通気層を形成し、次いで図４（Ｃ）の如く、垂木間寸法どおりに切断した断熱材板等を垂木間の内側から嵌め込んだ後、ずり落ちないように釘で固定し、更に断熱材の下側から塩ビフィルム等の防湿層をタッカー釘で垂木に留めている。
また、垂木上には屋根下張材を屋根面全面に亘って釘打ち固定し、屋根下張材の上に屋根材（屋根仕上材）を載置固定している。
【０００４】
〔従来例２〕
図５は、薄型で断熱性及び撓み剛性に優れた通気屋根パネルとして提案されたもの（特開平８−２９１６００号公報）であり、両側及び中央部の垂木と適宜間隔に配した横材としての継ぎ桟とで格子枠を形成し、継ぎ桟の上面の一部に通風口を切欠しておき、垂木上面に張設固定した野地板の下面に通気隙間を形成するように断熱材を充填し、断熱材と野地板間にプラスチックをエンボス加工した断熱シートを配置して、グラスウールの如き外気が容易に拭き抜ける断熱材の使用も可能とし、断熱シートの凸部で断熱材と野地板のバックアップ機能を奏し、断熱材の移動を抑制すると共に、凸部間隔及び継ぎ桟の通風口によって外気の導通を可能としたものである。
【０００５】
【発明が解決しようとする課題】
従来例１のものにあっては、有効な通気層が形成出来、垂木高さの選定によって所望厚の断熱材が付与出来るが、垂木の棟木、軒桁、母屋等の横梁への取付け、ころび止め材の取付け、断熱材層の取付け、及び屋根下張材の垂木上への全面取付けを含め、屋根施工は高所作業であって施工に手間がかかり、しかも、断熱機能面でも、断熱材は屋根からの加熱によって蓄熱体となり、夜間に外気温が下がっても依然として住居内部へ一定の熱を伝導放散することとなる。
また、従来例２の屋根パネルにあっては、野地板を備えてはいるが、格子枠を形成する継ぎ桟が内装仕上材省略の重要な要素であり、断熱シートとして耐久性及び断熱性に優れた合成樹脂材を選定して断熱材を保護してはいるが、エンボス加工突起が無数に散在しており、該断熱シートには熱線反射機能は無く、且つ枠材との通風口及び格子枠形成が複雑な構成となっており、外気の平滑な流動の期待出来ないものである。
しかも、断熱機能面でも、断熱材層は異種形状の断熱材の重層構造であるため、断熱シートも加熱されて断熱シートからの伝導熱も断熱材に付加され、従来例１同様に断熱材は蓄熱体機能を奏する。また、小屋組みへの取付けに際しても、屋根パネルの構造上、横梁への固定が煩雑、且つ手間のかかる作業であった。
【０００６】
本発明は、これら従来例１，２では全く着目されていない、屋根外部からの断熱材層への輻射熱による加熱作用を遮熱材で阻止し、断熱材への蓄熱を阻止軽減するという、全く新規、且つ異質の断熱構造を提供し、併せて簡単な構造の屋根パネルの採用によって、小屋組みへの堅結固定も容易とし、屋根施工上も機能上も格段に優れた、実用性に富んだ屋根断熱工法を提供するものである。
【０００７】
【課題を解決するための手段及び作用】
本発明は、例えば、図１に示す如く、少なくとも２本の平行した屋根垂木１間に、軒桁用のころび止め材５と、棟木用のころび止め材５と、中間横枠材４とを固定して枠体Ｆを形成し、該枠体Ｆの軒桁用のころび止め材５と中間横枠材４間にのみ断熱材３を配設し、少なくとも上面シート２１及び下面シート２３を含む上下複数のシート２１，２２，２３から成り、シート表面側での輻射熱反射作用、及びシート間の空気層空間Ｓによる空気流通作用を奏する遮熱材２で、遮熱材２の上面シート２１が屋根垂木上面１Ｔより下方に位置するように、断熱材３上面を被覆保護し、遮熱材２上面を覆う形態に屋根下張材７を屋根垂木１に固定した、断熱屋根パネルＡである。
【０００８】
尚、「少なくとも上面シート２１及び下面シート２３を含む上下複数のシート２１，２２，２３」の意は、上面シート２１と下面シート２３との２層形態であって空気層空間Ｓが１層のものも、実施態様図２の遮熱材の如く、上面シート２１、中間シート２２及び下面シート２３の３層形態であって空気層空間Ｓが２層のものも、或いは中間シートが複数枚であって空気層空間Ｓが多層のものも含む広い意味である。
また、「シート表面での輻射熱反射作用」の意は、輻射熱反射作用を上面シート２１のみ、上面シート２１と中間シート２２、中間シート２２と下面シート２３、或いは全シートでの表面で奏すれば良い意味であり、シート表面にアルミ箔等の熱線反射層を形成すれば輻射熱反射作用を奏するシートとなる。
【０００９】
また、「遮熱材２で断熱材３上面を被覆保護し」の意味は、パネルＡ内にあって遮熱材２が常時断熱材３全面を被覆しておれば良く、遮熱材２を単に断熱材３上面に載置して遮熱材２を垂木に固定したものや、遮熱材２を断熱材３と接着固定したもの、或いは垂木に固定した断熱材３と屋根下張材７との空間に遮熱材２を閉じ込めたもの等、を含む意味であり、断熱材３上面に負荷される熱線を常時遮熱材２で阻止して断熱材３上面を熱線による加熱から保護することを意味する。
また、「遮熱材２上面を覆う形態に屋根下張材７を垂木に固定」は、屋根パネルＡの保管時、搬送時、屋根施工時、及び耐用期間中に亘り、常時屋根下張材７が遮熱材２上面全面を被覆保護するように、少なくとも遮熱材２と同長の屋根下張材７を屋根垂木１に固定することを意味し、従って、遮熱材上面シート２１の両側縁２１Ｅ（図２）を垂木側面に止着して固定した遮熱材２の上面位置で屋根下張材７を垂木上面１Ｔ（図１）に固定しても、或いは、垂木に釘打ち固定した屋根下張材７下面と垂木間に固定した断熱材上面との閉塞空間内に遮熱材２を載置形態で閉止しても良い。
【００１０】
また、屋根パネルＡは、図１の如く、棟木側の垂木突出部１Ｂ及び軒先側の垂木突出部１Ｅでは屋根下張材７の存在しない形態とし、屋根垂木１の棟木６や軒桁６１への取付作業に支障の無いように屋根下張材７を一体化しておき、屋根パネル取付後に、屋根垂木１の突出部１Ｅ，１Ｂには別途屋根下張材７´（図３）を付加取付けるのが好ましい。
尚、屋根下張材7は屋根垂木1の全長に亘って取付けておけば、後工程としての屋根パネル張設後の屋根下張材の取付け作業は不要となるが、屋根パネルＡの垂木１の棟木６や軒桁６１の取付けは、屋根下張材７上からの釘打ちとなり、取付作業は若干熟練を要することとなる。
【００１１】
また、屋根垂木１は屋根パネルＡの両側に存在することが必須ではあるが、中間には、図１の如く１本配置しても、複数本配置しても良い。
しかし、屋根垂木の本数を多くすれば１枚の屋根パネルＡが広幅となり、屋根施工の効率化のメリットはあるが、保管、搬送等で不利であるから、屋根パネルＡ内の垂木本数は、建物のサイズ等を勘案して適宜決定すれば良い。
また、屋根垂木１の内側面に固着力向上の手段（凹凸面、粗面等）を適用すれば、接着性が向上し充填発泡断熱材３の一体化接着力も、成形発泡断熱板等の板状断熱材３の接着保持にも有効である。
また、断熱材としてグラスウール、ロックウール等、脱落の心配のある断熱材の適用時には、屋根パネルＡの下面に面材や金網等の断熱材支承材を付設するのが好ましい。
【００１２】
また、屋根パネルＡは、屋根垂木１間に、軒桁用のころび止め材５と、棟木用ころび止め材５と、中間横枠材４とを固定して枠体Ｆを形成し、該枠体Ｆの軒桁用のころび止め材５と中間横枠材４間に断熱材３を装填している。
尚、屋根パネルＡと一体のころび止め材５は、屋根垂木１と棟木６や軒桁６１とを強固に堅結して屋根垂木１の屋根荷重による座屈を防止するものであるため、図１に示す如く、屋根勾配θに対応した形態で垂木間に固定して下面５Ｕが垂木下面１Ｕから傾斜突出したものである。
そして、軒桁用ころび止め材５は、軒桁６１（図３）への屋根垂木１の堅結機能と共に、剛構造枠体形成機能及び断熱材規定機能も奏するため、強固な屋根パネルの形成が可能となると共に、屋根パネルＡの小屋組みへの敷設取付け時に、同時に棟木６及び軒桁６１への強固なころび止め材堅結も遂行出来、屋根下張材７の一体化具備と相俟って屋根施工の合理化、及び容易化が可能となる。
【００１３】
従って、本発明の屋根パネルＡを屋根施工に採用すれば、パネル一体の屋根垂木１を小屋組みの軒桁、棟木、母屋等の横梁に釘で打ち付けるだけで、断熱層施工はおろか屋根下地材施工も完了することとなり、しかも、屋根パネルＡと一体の屋根下張材７は作業員の足場ともなり、従来の高所作業であって手間のかかった、屋根垂木の取付け、ころび止め材の取付け等の小屋組み上での施工が容易、且つ安全に実施出来る。
その上、屋根下張材７は、後工事としての屋根下張材張設作業を省略するばかりでなく、各屋根垂木１間を剛構造に連結するため垂木間の拡開歪を阻止し、屋根施工時や耐用期間中での断熱材３の脱落を防止するのは勿論、屋根パネルＡの保管時、及び取付施工時にあっても遮熱材の損傷や汚染を好適に防止する。
【００１４】
しかも、得られる屋根は、遮熱材２の空気層空間Ｓを外気が導通して、屋根内の結露防止、及び断熱材上面の空気流動による断熱材３の上面空間の高温化を阻止すると共に、遮熱材２の輻射熱反射作用による断熱材上面への熱線加熱も阻止するため、断熱材３の加熱高温化が抑制出来、断熱材３の蓄熱が軽減出来る。
即ち、本発明屋根パネルＡの採用は、屋根外面から室内側への熱伝達を、熱伝達の３要素である輻射と対流とに遮熱材２が対処し、伝導に断熱材３が対処するため、高断熱且つ低蓄熱の優れた住環境の提供を可能とする。
【００１５】
しかも、遮熱材２の上面シート２１が垂木上面１Ｔより下方位置に配置されているため、屋根垂木上面１Ｔに張設した一体化屋根下張材７の下面と遮熱材上面シート２１との間には空隙層Ｓｏが常時存在し、遮熱材上面シート表面の輻射熱反射層が１００％機能するようになり、従って、遮熱材２を共に熱反射層を備えた上面シート２１と下面シート２３の２層形態とすることも可能となり、高性能遮熱材の製作面及び材料面からの低コスト提供が可能となる。
また、屋根垂木の側面が起立状態の遮熱材上面シート２１の両側を支承するため、遮熱材２は、垂木１間に嵌入するだけで自立状態となり、上面シートの垂木１への取付けも省略可能となり、屋根パネルの製作組立てに有利である。
【００１６】
また、本願第２の発明は、少なくとも２本の平行した屋根垂木１間に、軒桁用のころび止め材５と、棟木用のころび止め材５と、中間横枠材４とを固定して枠体Ｆを形成し、該枠体Ｆの軒桁用のころび止め材５と中間横枠材４間にのみ断熱材３を配設し、少なくとも上面シート２１及び下面シート２３を含む上下複数のシート２１，２２，２３から成り、シート表面側での輻射熱反射作用、及びシート間の空気層空間Ｓによる空気流通作用を奏する遮熱材２で断熱材３上面を被覆保護し、屋根下張材７を、遮熱材２上面を覆う形態で、且つ、遮熱材上面シート２１の両側縁２１Ｅを屋根垂木上面１Ｔに挟着形態で屋根垂木１に固定した、断熱屋根パネルである。
【００１７】
この場合、断熱材３と略同寸の下面シート２３を備えた遮熱材２の上面シート２１が垂木上面１Ｔと面一のタイプにあっては、上面シート２１の突出両側縁２１Ｅが垂木上面１Ｔに位置するため、屋根下張材７を垂木上面１Ｔに釘打ち固定するだけで遮熱材２を屋根パネルＡに安定状態に固定出来、従って、遮熱材２は下面シート２３を断熱材３上に固定しなくても上面シート２１が屋根下張材７の固定によって同時に固定出来、屋根パネルＡの保管、搬送、取付施工時の遮熱材２の形態変化が防止出来る。
【００１８】
この場合、屋根下張材７が上面シート２１と部分当接することとなるが、紙材の上面シート２１表面と屋根下張材７下面との当接界面は接着の如き密着形態でないため、上面シート２１はある程度の熱反射機能を有し、次層シートが輻射熱反射層を備えておれば、遮熱材２は高性能遮熱材として充分機能する。また、遮熱材２を図２の如く３層形態としておけば、機能上何ら心配ない。
そして、軒桁用ころび止め材５は、軒桁６１（図３）への屋根垂木の緊結機能と共に、剛構造枠体形成機能及び断熱材規定機能も奏するため、強固な屋根パネルの形成が可能となると共に、屋根パネルＡの小屋組みの一体化具備と相俟って屋根施工の合理化、及び容易化が可能となる。
従って、屋根パネルＡは、断熱材厚＋遮熱材厚＝屋根垂木高さ、に各部材を構成すれば、断熱材３と屋根垂木１との固定、遮熱材２の断熱材３上への載置、及び屋根下張材７の屋根垂木１への釘打ち固定の簡単な作業により均質の一体化屋根パネルが製作出来、合理的に工場生産出来る。
【００１９】
また、本発明の遮熱材２は、複数シート２１，２２，２３を折曲自在の起立片２４，２５群によって連結し、各シート２１，２２，２３間に長手方向に貫通した空気層空間Ｓを形成したものが好ましい。
この場合、起立片２４，２５群を倒伏すれば遮熱材２は各シート２１，２２，２３が重層形態となるため、保守管理が容易であり、製作も用意した各シートと各起立片との単純な接着作業で可能となる。
また、各起立片２４，２５を、実施態様図の如く、各シート２１，２２，２３と同長とすれば、空気層空間Ｓは各シート間に起立片の壁で仕切られた複数の平行流通路の形態となり、空気のスムーズな案内導通が可能となる。
勿論、各各起立片２４，２５を細幅シート材で構成して各シート間の長手方向（パネルの図１のＬ方向）適所に配置した形態であっても、発明の所期の目的は達成出来る。
【００２０】
また、遮熱材２は、複数シート２１，２２，２３の上面シート２１及び次層シート２２，２３が表面に輻射熱反射層を備えたものが好ましい。
尚、「次層シート２２，２３」の意は、上面シートの直下のシートの意味であり、複数シートが上面シート２１と下面シート２３の２層形態の遮熱材にあっては、次層のシートは下面シート２３を意味し、実施態様図１の如く、複数シートが３層形態の遮熱材２にあっては、次層シートは中間シート２２を意味するものである。
【００２１】
この場合、アルミ箔やアルミ蒸着膜等の熱線反射層を備えた上面シート２１が、損傷やごみ汚染や、或いは屋根下張材７との当接等によって輻射熱反射機能の低下を生じて熱線が上面シート２１を透過しても、次層シート２２，２３表面での輻射熱反射作用によって、遮熱材２全体としては断熱材３への熱線負荷が好適に阻止出来る。
従って、屋根パネルＡ用の部材としての遮熱材２の保管時や屋根下張材７の屋根垂木１への固定作業時等にも、上面シート２１の表面層に対する過度の注意を払わずとも良くなり、屋根パネルＡの組立、施工が容易となる。
【００２２】
また、遮熱材２は、複数シート２１，２２，２３、及び複数シートと同長で折曲部ｒで折曲自在の起立片２４，２５群が紙材から成り、且つ上面シート２１及び次層シート２２，２３が表面に熱反射アルミ箔層を備えたものが好ましい。
この場合、紙材は安価且つ糊剤接着力が大であるため、遮熱材２の各構成シート部材（シート材、起立片材、アルミ箔シート）相互の接着が容易となり、複数シートとシート状アルミ箔とシート状起立片材相互は、必要位置での折曲部形成、必要位置への糊剤付与、押圧接着等の作業がローラー群装置での走行過程処理が可能となり、遮熱材２の製作が容易となる。
しかも、得られる遮熱材にあっては、起立片２４，２５群が複数シート間の空気層空間Ｓを仕切る平滑な空気導通壁となるため、空気流動をスムーズにする。
また、アルミ箔は、市販品の６×１０−３〜６×１０−２mm厚ののものであっても、微視的に表面が平坦でピンホールも存在しないため、熱線は正反射阻止出来るものであり、熱線が例え上面シート２１を若干透過しても、次層シートで正反射して断熱材３への負荷が阻止出来ることとなり、従って、高性能遮熱材が容易に製作出来る。
【００２３】
また、遮熱材２は、紙材の複数シートの全てが表面に熱反射アルミ箔層を備え、各シートと同長のシート状紙材から成り、且つ折曲部ｒで折曲自在とした起立片２４，２５群の両端の折曲面２４´，２５´を上面シート２１及び下面シート２３に固定すると共に、折曲部ｒで折曲自在とした中間シート２２の両端の折曲面２２´を起立片２４，２５群に固定し、各シート２１，２２，２３間に起立片２４，２５で仕切られた、長手方向に貫通する空気層空間Ｓを開口したものが好ましい。
【００２４】
この場合、各シート２１，２２，２３表面にアルミ箔を貼着した後、図２に示す如く、各起立片２４，２５間に張設する各中間シート２２の端部に折曲面２２´を、各起立片２４，２５の端部には折曲面２４´，２５´を形成して各折曲面２２´，２４´，２５´に糊剤を塗布し、上面シート２１及び下面シート２３間に配置して重層圧着すれば３層形態の遮熱材２となるから、各シート上面へのアルミ箔の貼着作業も、中間シート２２及び起立片２４，２５への折曲面形成作業も、必要面への糊剤塗布作用も、押圧接着作業も全て機械作業化出来、遮熱材２は各構成材の全てをシート状態でローラー群装置によって、折り目付与→折り込み→糊付け→圧着→定寸切断の流れ工程で合理的に製造出来る。
【００２５】
また、ローラー群装置によって製造された定寸の積層形態の遮熱材２は、そのまま保管しておき、屋根パネル製作時には、積層状態のまま下面シート２３を断熱材３に貼着するか、断熱材３の垂木間への充填発泡成形時に積層状態のまま一体化凝固接着するか、或いは、上面シート２１を引張って起立状態（図２）とした遮熱材２を垂木間に固定した断熱材３上に載置する等により用いれば良く、従って、遮熱材の製造、保守管理、屋根パネルＡの製作が容易となる。
勿論、中間シート２２が複数の場合は、各シート間が所定の間隔となるように両端に折曲面２２´を備えた中間シートのそれぞれを適切にずらすことにより、また、遮熱材２が上面シート２１と下面シート２３のみの２層形態のものは、中間シートを除去することにより、ローラー群装置に供給して、折り目付与→折り込み→糊付け→圧着→定寸切断すれば所望の遮熱材２となる。
【００２６】
また、屋根パネルＡにあっては、下面材７１を垂木１の下面１Ｕに張設するのが好ましい。
下面材７１の存在は断熱材３の屋根パネルＡからの脱落防止に有効であり、下面材７１として内装下地材を用いれば、同時に内装工事に伴う下地材取付作業も省略出来るし、少なくとも居住空間に露見する区域に内装板材を用いれば、さらに工数の省略が可能となる。
尚、下地材７１は、屋根パネルＡの小屋組み作業に支障の無いように取付ける必要があり、屋根下張材７同様に、少なくとも屋根垂木１の軒先側の突出部１Ｅと棟木側突出部１Ｂが存在する形態に取付けるのが好ましい。
【００２７】
【発明の実施の形態】
〔遮熱材２（図２）〕
遮熱材２のシート材として、予め表面にアルミ箔を層着した紙シートを用意し、適用屋根パネルＡの寸法に応じて下面シート２３の幅Ｗ１を各垂木１間寸法Ｗ１に、上面シート２１の幅Ｗ１´は、下面シートの幅Ｗ１＋両側の突出縁２１Ｅ（１０mm）に、中間シート２２幅は、各起立片２４，２５間寸法＋両側の折曲面２２´（２０mm）に、また各起立片２４，２５としては、アルミ箔の無い紙シートを用いて、幅は遮熱材２の所定高さＨ１（標準３０mm）＋上下の折曲面２４´，２５´（２０mm）に，各紙シート幅を裁断し、図５（Ａ）に示す如く、中間シート２２の折曲面２２´及び起立片の折曲面２４´，２５´の他シートへの当接面に糊剤を塗布し、各シートを所定寸法関係に接着すれば上面シート２１が両側縁２１Ｅを備えた遮熱材２が形成出来る。
尚、上面シート２１に、両側の突出縁２１のない下面シート２３と同一物を採用すれば、上下両シート２１，２３が同一幅の遮熱材２が得られ、また、中間シート２２を省略すれば、上面シート２１と下面シート２３の２層形態遮熱材２が得られる。
【００２８】
従って、アルミ箔の紙シートへの層着を含め、遮熱材２の製作は、上面シート２１、中間シート２２、下面シート２３、及び起立片２４，２５の各構成部材を全て長尺シート状態でローラー群装置に供給しながら、折り目付与→折り込み→糊付け→圧着→定寸切断の流れ工程で合理的に製造出来る。
また、２層形態の遮熱材２は、中間シート２２を省略するため、複数の短幅シートの各起立片２４，２５間に短幅の分割中間シートを介在接着する作業がなくなり、３層形態遮熱材の製造よりはるかに簡単、且つ容易となる。
また、遮熱材２の幅Ｗ１及び高さ（上面シート２１と下面シート２３の間隔）は、屋根パネルＡの形状に対応して寸法変更する必要があるが、遮熱材の幅、上下シート間距離の変更も、ローラー郡装置での寸法調整によって容易に対処可能である。
【００２９】
〔屋根パネルＡの製作（図１）〕
屋根垂木１として、断面寸法３８mm×１４０mmの木材（２×４工法用２０６材）を用い、垂木１の長さＬを適用屋根寸法とし、各垂木１の棟木側の端部に屋根勾配θに対応する切欠１Ｃを形成しておき、３本の屋根垂木１を、幅Ｗ１を保って平行配置した形態で、各垂木１間には、軒先側の突出部１Ｅ及び棟木側の突出部１Ｂを開けて幅Ｗ１の断熱材３を配置する。
【００３０】
この場合、各垂木１間には、軒先側では、軒桁用ころび止め材５を配置し、垂木端部の切欠１Ｃ部にも棟木用ころび止め材５を配置し、中間にも横枠材４を配置し、断熱材両端を規定する軒桁用のころび止め材５と横枠材４に亘る下面には下面材７１を垂木１間に付設する。
ころび止め材５は、屋根垂木１の屋根荷重による座屈に対処するものであるため、垂木１に対して屋根勾配θだけ傾斜した形態となり、断熱材３の充填発泡用の型キャビティ形成上も、成形断熱板の密接嵌入上も、ころび止め材５は不利ではあるが、屋根パネルＡの小屋組みへの取付作業におけるころび止め材施工が合理化出来る。
また、グラスウール、ロックウール等の繊維系断熱材３を充填する場合には、ころび止め材５の傾斜形態も支障を生じない。
【００３１】
次いで、別途用意した上下シートが等幅の遮熱材２の下面シート２３下面を断熱材３上面に載置し、屋根下張材７を遮熱材２を覆う形態に屋根垂木１に釘打ち固定し、屋根パネルＡとする。
屋根パネルＡの各部材の寸法関係は、断熱材３と遮熱材２とは略同幅同長であり、屋根下張材７と下面材７１も同長、同幅、且つ断熱材３と略同長である。また、図１（Ｃ）の如く、遮熱材２の上面シート２１と屋根下張材７下面との間には空隙層Ｓｏを形成する。
【００３２】
該屋根パネルＡにあっては、屋根下張材７は各種屋根材の取付けが可能な強度を有する板材であり、下面材７１は単に内装下地材の機能を有するものであれば良いが、製作の合理化のため、下面材７１に屋根下張材７と同一物を適用することも可能である。
また、屋根垂木１と下面材７１とを予め固定しておけば、断熱材３として繊維系断熱材の充填装着利用も可能となり、断熱材３は下面材７１と両側面垂木とで保護されるため断熱材３の選択利用範囲が広まる。
また、屋根パネルＡは上下面が下面材７１と屋根下張材７であるため、断熱材３と遮熱材２とは、屋根垂木方向のすべりを生じなければよく、各部材の固定が容易である。
【００３３】
〔屋根の断熱施工（図３）〕
屋根パネル（図１）を採用する場合にあっては、一方の屋根面の１枚目の屋根パネルＡは、棟側の基端部と小屋組みの中心部の位置を合わせ、屋根垂木１の基端部及びころび止め材５を棟木６上に載置し、両側から棟木６に斜め方向に釘打ちして各屋根垂木１及びころび止め材５を棟木６に固定する。
また、屋根パネルＡの先端側（軒先側）でも、屋根垂木１及びころび止め材５の両側から軒桁６１に対して釘を斜め方向に打ち込んで各屋根垂木１をころび止め材５と共に軒桁６１に固定する。
【００３４】
次いで、反対側の屋根面の屋根パネルを同様の手順で施工し、棟６の頂点で屋根垂木１の切欠１Ｃによって面当接した屋根垂木同士を補強金物（図示せず）を用いて強固に堅結する。
１枚目の屋根パネルＡの両側屋根面への取付けが終了後、２枚目以降の屋根パネルＡについても同様に、棟６、軒桁６１、母屋の順に釘打ち固定し、各屋根パネルＡの側面当接部にあっては、当接した両垂木１の適所を釘打ちして各屋根パネル相互も堅結する。
そして、屋根パネルＡの施工終了後、パネルと一体化の屋根下張材７の存在していない、屋根垂木の軒先側突出部１Ｅや棟木側突出部１Ｂには、図６の如く、屋根垂木１上に付加用の屋根下張材７´を張設して屋根構造部分を完成し、屋根下張材７，７´上に屋根材８を張設する。
【００３５】
該屋根の断熱施工にあっては、屋根垂木１と軒桁用ころび止め材５及び棟木用ころび止め材５を一体化した枠体Ｆ、断熱材３、遮熱材２、屋根下張材７、及び下面材７１の一体化パネルを用いるため、１枚の屋根パネルＡの取付けによって、屋根垂木の複数本と、断熱構造（断熱材＋遮熱材）上面の屋根下張材７、及び断熱構造下面の内装下地材７１とが同時に取付施工出来、断熱材の建築現場での施工も不要となり、屋根施工時に、屋根垂木１の取付けと同時にころび止め施工が遂行出来、高所作業としての屋根施工が合理化出来る。
従って、従来例１の如き在来工法と比べて、工期が画期的に短縮出来る。しかも、屋根垂木を張設する際は、棟と軒桁の間隔や、軒桁と母屋の間隔が大きいため、在来工法では高所作業用の足場の確保が必要であり、危険、且つ手間のかかる作業であったが、本発明の屋根パネル施工にあっては、棟部分に作業足場を確保するだけで安全、且つ容易に作業が実施出来、また、下面材７１は内装下地材として機能するため、屋根下面からの困難な作業であった屋根面内装下地材の付設作業も省略出来、屋根施工が画期的に合理化出来る。
また、屋根パネルＡも工場生産により、高品質、且つ信頼性の高いパネルが得られ、簡単、且つ容易な屋根パネルの取付施工によって高品質の断熱構造屋根が得られる。
【００３６】
また、得られる住宅の屋根断熱構造にあっては、屋根パネルＡが遮熱材２の各シート上面のアルミ箔によって輻射熱を阻止し、遮熱材２の各シート間の空気層空間Ｓが図３に示す如く、軒先側から屋根頂点へと外気を導通して屋根面から断熱材３への対流熱伝達を抑制し、且つ熱不良導体の断熱材３が熱伝導を抑制するため、即ち、屋根パネルＡが熱伝導の３要素である伝導、対流、輻射の各熱伝達要素全てに対応したものであるため、例えば、従来例２の断熱材上に断熱シートを載置して断熱シートで通気を行う、伝導熱と対流熱とに対処するものと比べても、構造がより単純で、製作面でもより容易、且つ合理的に出来るものである上に、熱伝達抑制機能が格段に優れたものとなる。
即ち、断熱機能面から見ても、本願の遮熱材２＋断熱材３の断熱構造は、単なる異質断熱材を重ねた断熱構造よりも優れた熱伝達抑制効果を発揮する。しかも、従来の断熱材利用の断熱構造での必然結果であった断熱材の蓄熱も軽減出来るため、外気温低下に比較的早く順応出来るものとなり、省エネルギー住宅の提供に有利となる。
【００３７】
〔その他〕
実施態様例に示した屋根パネルＡは、３層形態遮熱材（上面シート２１、中間シート２２、下面シート２３）であり、且つ上面シート２１と屋根下張材７との間には空隙層Ｓｏを有するものであるが、遮熱材２を上面シート２１と下面シート２３との２層形態とし空気層空間Ｓが１層のものとすれば、遮熱材２の製作に於いて、各起立片２４，２５に亘る短幅の中間シート２２群を配置する作業が不要となり、遮熱材２の製作組立工数が大幅に合理化出来、遮熱材２は、使用材料面からも、工数面からも大幅にコストダウン出来る。
しかも、２層形態であっても上面シート２１の輻射熱反射層を透過した熱線を下面シートの輻射熱反射層で好適に反射するため、機能上も別段支障ない。
【００３８】
尚、２層形態遮熱材であって、屋根下張材７との間に空隙層Ｓｏのないものにあっては、上面シート２１が屋根下張材７との接触によって輻射熱反射機能の低下を生じるが、この場合も下面シート２３の輻射熱反射機能が１００％発揮出来るため、高性能遮熱材としての充分な作用を奏する。
しかも、上面シート２１が屋根垂木上面１Ｔと面一となるため、上面シート両側縁２１Ｅの垂木上面１Ｔにかかった形態で屋根下張材７を釘打ちすることにより、遮熱材２は、断熱材３に接着せずとも不動保持が容易に達成出来、屋根パネルＡの製作が合理化出来る。
また、屋根パネルＡの取付施工を、屋根下張材７から屋根垂木１を通して、棟木６や軒桁６１等に釘打ち堅締する方法で実施する場合には、屋根下張材７を屋根垂木１を同長とし、屋根パネルＡの取付け後の付加用の屋根下張材７´の取付けを不要と出来る。
【００３９】
【発明の効果】
本発明の屋根断熱構造にあっては、ころび止め材５を備えた垂木１と、遮熱材２と、断熱材３と、屋根下張材７との一体化された屋根パネルＡを用いて屋根を形成するため、従来の、高所作業としての屋根垂木の取付け、ころび止め材５の取付け、通気層の形成、断熱層の取付け、屋根下張材７の取付け等の作業が画期的に合理化出来、しかも、工場生産された均質パネルであるため、単純、且つ合理化された屋根施工によって、高品質の屋根が形成出来る。
【００４０】
また、屋根パネルＡは、遮熱材２のシート表面での輻射熱反射作用と、遮熱材各シート間の空気層空間Ｓでの外気導通による熱の対流伝達抑制作用と、断熱材３による熱伝導を抑制する作用、即ち、熱伝達の３要素である伝導、対流、輻射の各熱伝達要素全てに対応しているので、屋根面からの熱の建物内への伝達が好適に抑制出来、しかも、遮熱材２によって断熱材３の蓄熱が軽減出来て、断熱材２の蓄熱量が抑制出来るため、外気温度低下にも比較的短時間で順応出来、例えば冷房エネルギーの軽減等の省エネルギー住宅の提供に有利である。
【００４１】
また、本発明の屋根パネルＡは、遮熱材２が複数シート２１，２２，２３相互を折曲自在の起立片２４，２５群で固定したものであるため、製作に際しては、遮熱材との各構成材としての各シート及び各起立片を共に水平配置してそれぞれ必要位置の折り目付与、接着部への糊付け、加圧接着、及び定寸切断の各工程をローラー群装置による流れ作業で実施出来て、遮熱材２の製作が合理的に実施出来、製品としての遮熱材２も、各シートの積層形態で取扱えるので、保管、搬送及び屋根パネルＡの製作も容易となる。
【図面の簡単な説明】
【図１】  本発明の屋根パネル説明図であって、（Ａ）は一部切欠全体斜視図、（Ｂ）は（Ａ）のＢ−Ｂ断面図、（Ｃ）は（Ａ）のＣ−Ｃ断面図である。
【図２】  本発明に用いる遮熱材２の説明断面図であって、（Ａ）は起立途中を、（Ｂ）は起立状態を示す図である。
【図３】  本発明を実施した屋根の一部切欠斜視図である。
【図４】  従来例１の説明図であって、（Ａ）は通気下地材を取付けた状態を、（Ｂ）は通気層形成状態を、（Ｃ）は断熱材を取付けて完成した状態を示す図である。
【図５】  従来例２の一部切欠斜視図である。
【符号の説明】
１：屋根垂木（垂木）、      １Ｔ：垂木上面、        １Ｕ：垂木下面、
１Ｃ：切欠、                ２：遮熱材、            ３：断熱材、
４：横枠材、          ５：ころび止め材、      ５Ｕ：ころび止め材下面、
６：棟木、          ７，７´：屋根下張材、    ８：屋根材（屋根仕上材）、
２１：上面シート、      ２２：中間シート、          ２３：下面シート、
２４，２５：起立片、    ６１：軒桁、                ７１：下面材、
Ｓ：空気層空間、        Ｓｏ：空隙層
【図１】
0003690794.tif 000002
【図２】
0003690794.tif 000003
【図３】
0003690794.tif 000004
【図４】
0003690794.tif 000005
【図５】
0003690794.tif 000006